(57)【特許請求の範囲】
【請求項１】
マイクロコンピュ−タによりガスの使用流量を測定するガスメ−タ本体と、
このガスメ−タ本体の側面に装着された通報装置と、
上記ガスメ−タ本体の前面に設けられた第２の端子部を具備し、上記通報装置と第２の端子部間には公衆電話回線及び電話機線が接続されていることを特徴とする通報装置装着型ガスメ−タ。
【請求項２】
マイクロコンピュ−タによりガスの使用流量を測定するガスメ−タ本体と、
このガスメ−タ本体の側面に装着された通報装置と、
上記ガスメ−タ本体の前面に設けられた第１の端子部及び第２の端子部とを具備し、上記通報装置と第２の端子部間には公衆電話回線及び電話機線が接続され、上記通報装置と第１の端子部間には電文を送受する回線が接続されることを特徴とする通報装置装着型ガスメ−タ。
【発明の詳細な説明】
【０００１】
【発明の属する技術分野】
本発明はマイクロコンピュ−タを使用してガスの流量を計測する、いわゆるマイコンガスメ−タに通報装置を装着した通報装置装着型ガスメ−タに関する。
【０００２】
【従来の技術】
マイコンガスメ−タに通報装置を装着し、公衆電話回線を介してセンタのホストコンピュ−タにマイコンガスメ−タで計測した使用ガス流量を送信することにより、各マイコンガスメ−タにおける使用流量を集中管理するようにしたシステムが知られている。
【０００３】
このようなシステムにおいては、省スペ−スの考えから、ガスメ−タの側面に通報装置を外付けで取り付けている。このようなガスメ−タを通報装置装着型ガスメ−タという。
【０００４】
【発明が解決しようとする課題】
従来の通報装置装着型ガスメ−タの構造について図４を参照して説明する。図４（Ａ）はマイコンガスメ−タ１０の正面図、図４（Ｂ）はマイコンガスメ−タ１０の側面図である。
【０００５】
図４（Ａ）において、１１はガスメ−タ本体である。このガスメ−タ本体１１内には、マイクロコンピュ−タ（図示しない）及び遮断弁（図示しない）が内蔵されている。このガスメ−タは内蔵されているマイクロコンピュ−タ（図示しない）を用いて、ガスの使用流量を計測している。そして、この計測されたガスの使用流量は、ガスメ−タ本体１１の前面上部に設けられたメ−タ部１２に表示される。
【０００６】
また、メ−タ本体１１の前面下部には、端子部１３が設けられている。この端子部１３には、ＦＧ（Flame Ground）端子ｔ１、電文（ガスの使用流量や遮断弁の開閉状態を示す情報）が送られる電文端子ｔ２，ｔ３、ガス警報器（図示しない）が接続される警報器端子ｔ４，ｔ５が設けられている。
【０００７】
さらに、このメ−タ本体１１の側面には、自動通報装置１４が設けられている。この自動通報装置１４は、マイコンガスメ−タ１０とセンタのホストコンピュ−タ（図示しない）とを公衆電話回線を介して各種信号を送受するための装置である。例えば、マイコンガスメ−タ１０からホストコンピュ−タには、前述した電文（ガスの使用流量や遮断弁の開閉状態を示す情報）が送信される。
【０００８】
また、ホストコンピュ−タからマイコンガスメ−タ１０には、マイコンガスメ−タ１０で計測されたガスの使用流量をホストコンピュ−タに送信することを指令する信号等が送信される。
【０００９】
また、自動通報装置１４は図４（Ｂ）に示すように、端子部１５が設けられている。この端子部１５には、公衆電話回線が接続される端子Ｔ１，Ｔ２、電話機線を接続するための端子Ｔ３，Ｔ４、電文が送受される電文端子Ｔ５，Ｔ６が設けられている。
【００１０】
そして、メ−タ本体１１に設けられた端子部１３の電文端子ｔ２，ｔ３と自動通報装置１４の端子部１５に設けられた電文端子Ｔ５，Ｔ６とは電線２１を介して接続される。
【００１１】
さらに、端子部１５の端子Ｔ１，Ｔ２と端子Ｔ３，Ｔ４は電線２２を介して公衆電話回線及び電話機にそれぞれ接続される。
つまり、図４の電気配線に着目すると図５に示すようになる。
【００１２】
このような通報装置装着型ガスメ−タは、通報装置内蔵型ガスメ−タと比較すると、ガスメ−タあるいは通報装置に故障が発生した場合には、メ−タあるいは通報装置を別々に交換することが容易である。
【００１３】
しかし、ガスメ−タと通報装置とがそれぞれ別々の機器であるために、ガスメ−タと通報装置とを接続する場合には、ガスメ−タと通報装置のそれぞれの機器の端子カバ−を外さなければならない。
【００１４】
また、通報装置装着型ガスメ−タは通報装置がメ−タの側面に取り付けられているため、通報装置の端子が真横に向くことになり、メ−タ正面から端子を覗き込んで作業をすることになる。このため、配線がしにくいものになっている。
【００１５】
特に通報装置へ必ず接続する公衆電話回線があるため、通報装置の端子カバ−は必ず開けなければならない。
本発明は上記の点に鑑みてなされたもので、その目的は、通報装置装着型ガスメ−タにおいて、公衆電話回線に接続するための端子をメ−タの前面に設けるようにし、予め工場出荷時に先行配線することにより、通報装置の端子カバ−を開けなくても、通報装置を公衆電話回線に容易に接続できるようにした通報装置装着型ガスメ−タを提供することにある。
【００１６】
【課題を解決するための手段】
請求項１に係わる通報装置装着型ガスメ−タは、マイクロコンピュ−タによりガスの使用流量を測定するガスメ−タ本体と、このガスメ−タ本体の側面に装着された通報装置と、上記ガスメ−タ本体の前面に設けられた第２の端子部を具備し、上記通報装置と第２の端子部間には公衆電話回線及び電話機線が接続されていることを特徴とする。
【００１７】
つまり、ガスメ−タ本体の側面に装着された通報装置とガスメ−タ本体の前面に中継端子として設けた第２の端子部との間を予め公衆電話回線及び電話機線で接続しておき、この第２の端子部から公衆電話回線及び電話機線に接続できるようにしている。
【００１８】
このようにすることにより、ガスメ−タ本体の前面から公衆電話回線及び電話機線を接続できるようにしている。
従って、配線作業をし易くすることができる。
【００１９】
請求項２に係わる通報装置装着型ガスメ−タは、マイクロコンピュ−タによりガスの使用流量を測定するガスメ−タ本体と、このガスメ−タ本体の側面に装着された通報装置と、上記ガスメ−タ本体の前面に設けられた第１の端子部及び第２の端子部とを具備し、上記通報装置と第２の端子部間には公衆電話回線及び電話機線が接続され、上記通報装置と第１の端子部間には電文を送受する回線が接続されることを特徴とする。
【００２０】
【発明の実施の形態】
以下図面を参照して本発明の一実施の形態について説明する。図１（Ａ）はマイコンガスメ−タ３０の正面図、図１（Ｂ）はマイコンガスメ−タ３０の側面図である。
【００２１】
図１（Ａ）において、３１はガスメ−タ本体である。このガスメ−タ本体３１内には、マイクロコンピュ−タ（図示しない）及び遮断弁（図示しない）が内蔵されている。このガスメ−タは内蔵されているマイクロコンピュ−タ（図示しない）を用いて、ガスの使用流量を計測している。そして、この計測されたガスの使用流量は、ガスメ−タ本体３１の前面上部に設けられたメ−タ部３２に表示される。
【００２２】
また、メ−タ本体３１の前面下部には、第１の端子部として端子部３３ａが設けられている。この端子部３３ａには、ＦＧ（Flame Ground）端子ｔ１、電文（ガスの使用流量や遮断弁の開閉状態を示す情報）が送られる電文端子ｔ２，ｔ３、ガス警報器（図示しない）が接続される警報器端子ｔ４，ｔ５が設けられている。
【００２３】
さらに、端子部３３ａと直交する位置に、第２の端子部として端子部３３ｂが設けられている。この端子部３３ｂには公衆電話回線が接続される端子ｔ６，ｔ７、電話機線が接続される端子ｔ８，ｔ９が設けられている。
【００２４】
さらに、このメ−タ本体３１の側面には、自動通報装置３４が設けられている。この自動通報装置３４は、マイコンガスメ−タ３０とセンタのホストコンピュ−タ（図示しない）とを公衆電話回線を介して各種信号を送受するための装置である。例えば、マイコンガスメ−タ３０からホストコンピュ−タには、前述した電文（ガスの使用流量や遮断弁の開閉状態を示す情報）が送信される。
【００２５】
また、ホストコンピュ−タからマイコンガスメ−タ３０には、マイコンガスメ−タ３０で計測されたガスの使用流量をホストコンピュ−タに送信することを指令する信号等が送信される。
【００２６】
また、自動通報装置３４は図１（Ｂ）に示すように、端子部３５が設けられている。この端子部３５には、公衆電話回線が接続される端子Ｔ１，Ｔ２、電話機を接続するための端子Ｔ３，Ｔ４、電文が送受される電文端子Ｔ５，Ｔ６が設けられている。
【００２７】
そして、メ−タ本体３１に設けられた端子部３３ａの電文端子ｔ２，ｔ３と自動通報装置３４の端子部３５に設けられた電文端子Ｔ５，Ｔ６とはケ−ブル４１内の２本の電線を介して接続される。
【００２８】
さらに、端子部３５の端子Ｔ１，Ｔ２と端子Ｔ３，Ｔ４はケ−ブル４１内の４本の電線を介して公衆電話回線及び電話機線にそれぞれ接続される。
つまり、図１の電気配線に着目すると図３に示すようになる。
【００２９】
また、端子部３３ａ及び３３ｂ内の結線については、図２に示す如くである。
つまり、メ−タ本体３１の側面に装着された自動通報装置３４の端子部３５の公衆電話回線及び電話機線とをメ−タ本体３１の前面に設けた中継端子としての端子部３３ｂとを予め接続しておくようにしたので、メ−タ本体３１の前面から公衆電話回線及び電話機線を接続できるようにしている。従って、配線作業をし易くすることができる。
なお、必要に応じて通報装置３４とマイコンガスメ−タ３０とを接続するのは電文線だけであったが、必要に応じて他の線を接続するようにしても良い。
【００３０】
【発明の効果】
請求項１及び請求項２の発明によれば、公衆電話回線に接続するための端子をメ−タの前面に設けるようにし、通報装置の端子カバ−を開けなくても、通報装置を公衆電話回線に容易に接続できるようにした通報装置装着型ガスメ−タを提供することができる。
【図面の簡単な説明】
【図１】本発明の一実施の形態に係わる通報装置装着型ガスメ−タを示す図。
【図２】同実施の形態に係わる端子部を説明するための図。
【図３】同実施の形態に係わる通報装置装着型ガスメ−タの電気配線を説明するための図。
【図４】従来の通報装置装着型ガスメ−タを示す図。
【図５】同通報装置装着型ガスメ−タの電気配線を説明するための図。
【符号の説明】
１０…マイコンガスメ−タ、１１…ガスメ−タ本体、１２…メ−タ部、１３…端子部、１４…自動通報装置、１５…端子部。
【図１】
0003692191.tif 000002
【図２】
0003692191.tif 000003
【図３】
0003692191.tif 000004
【図４】
0003692191.tif 000005
【図５】
0003692191.tif 000006